(57)【要約】      （修正有）【課題】横開きタイプのマガジンであっても、軸長が短い釘に対応することができる。【解決手段】渦巻き状に巻き回した連結釘を収納するために円筒状の側壁１と底部２と蓋部３とを備えるとともに、側壁１を２つに分割して一方の側壁１ａの端部に設けられたヒンジ部を介して他方の側壁１ｂと上記蓋部３を含む蓋体５を底部２と平行に開閉可能としたマガジンにおいて、上記底部２中央にネイルポスト６を固定し、ネイルポスト６にネイルサポート１１を上下動可能に配置するとともに、ネイルポスト６とネイルサポート１１との間に高さ調整機構を備えた。【選択図】図２
2010029944.tif 000002
【特許請求の範囲】
【請求項１】
渦巻き状に巻き回した連結釘を収納するために円筒状の側壁と底部と蓋部とを備えるとともに、側壁を２つに分割して一方の側壁の端部に設けられたヒンジ部を介して他方の側壁と上記蓋部を含む蓋体を開閉可能としたマガジンにおいて、
上記底部中央にネイルポストを立設し、ネイルポストにネイルサポートを上下動可能に配置するとともに、ネイルポストとネイルサポートとの間に高さ調整機構を備え、
上記高さ調整機構が、ネイルポストに間隔をおいて設けられた調整溝と、ネイルサポートに上記各調整溝に係合可能に取り付けられた係合部材とによって構成された
ことを特徴とする釘打機のマガジン。
【請求項２】
上記ネイルサポートを所定の角度回動させることによって係合部材が調整溝と係脱可能にしたことを特徴とする、請求項１に記載の釘打機のマガジン。
【請求項３】
上記高さ調整機構が、上記側壁に間隔をおいて設けられた調整溝と、ネイルサポートの端部から上記調整溝に係合可能に突出した係合部とから構成されたことを特徴とする、請求項１に記載の釘打機のマガジン。
【請求項４】
上記ネイルポストを移動させることにより、ネイルサポートの係合部を上記側壁の調整溝と係脱可能にしたことを特徴とする、請求項３に記載の釘打機のマガジン。
【発明の詳細な説明】
【技術分野】
【０００１】
本発明は、渦巻き状に巻き回した連結釘を収納する円筒状のマガジンであって、底部に固定されたネイルポストに沿ってネイルサポートを上下動可能に配置した釘打機のマガジンに関する。
【背景技術】
【０００２】
一般に、釘打機は、エアチャンバ内の高圧エアをメインバルブの作動によって打撃シリンダの上端に対して開閉し、打撃シリンダに供給された高圧エアによって内部に収容された打撃ピストンを駆動し、打撃ピストンに一体的に結合したドライバ、ドライバビット等の打撃手段により、マガジンから釘打機本体の下部に設けられた打ち込み用ノーズ部に供給された一般釘、打ち込みネジ等の釘を打撃して打ち込むように構成されている。
【０００３】
ところで、ノーズ部にはマガジンが連設され、マガジンに装填された連結釘が順次ノーズ部に送られるようになっている。連結釘は多数の釘を連結材を介して連結したもので、渦巻状に巻き回され、円筒状のマガジンの内部に収納されている。そして、渦巻きの中心に形成された空間をマガジンの底部中央に設けられたネイルポストに差し込んで収納するようになっている。
【０００４】
ところで、連結釘には釘軸の長さによって短寸のものから長寸のものまで何種類もあるから、ネイルサポートの高さを調整しなければならない。どの種類の釘であっても、釘の頭部の位置は変わらないので、ネイルサポートの位置を調整する場合、長寸のものは低く、短寸のものは高い位置に調整する必要がある。
【特許文献１】実開昭５６−４８４８０号公報
【特許文献２】実開昭５７−１００４７５号公報
【発明の開示】
【発明が解決しようとする課題】
【０００５】
しかしながら、従来は、特許文献１に示すように、ネイルサポートとネイルポストとは一体に形成されているので、短い釘に対応するためにネイルサポートを高い位置に移動させると、必然的にネイルポストの位置も高くなる。したがって、マガジン本体に対して蓋体を横に（上記底部と平行に）開閉するタイプのマガジンでは、閉じるときにネイルポストが邪魔になり、軸長が短い釘に対応することはできない。この場合は、特許文献２に示すマガジンのように、マガジン本体に対して蓋体を上方又は斜め上方に開閉するタイプのマガジンでしか対応できない。
【０００６】
本発明は上記問題点を解消し、横開きタイプのマガジンであっても、軸長が短い釘に対応することができる釘打機のマガジンを提供することをその課題とする。
【課題を解決するための手段】
【０００７】
上記課題を解決するため、請求項１に係る発明は、渦巻き状に巻き回した連結釘を収納するために円筒状の側壁と底部と蓋部とを備えるとともに、側壁を２つに分割して一方の側壁の端部に設けられたヒンジ部を介して他方の側壁と上記蓋部を含む蓋体を開閉可能としたマガジンにおいて、上記底部中央にネイルポストを立設し、ネイルポストにネイルサポートを上下動可能に配置するとともに、ネイルポストとネイルサポートとの間に高さ調整機構を備え、上記高さ調整機構が、ネイルポストに間隔をおいて設けられた調整溝と、ネイルサポートに上記各調整溝に係合可能に取り付けられた係合部材とによって構成されたことを特徴とする。
【０００８】
請求項２に係る発明は、請求項１において、上記ネイルサポートを所定の角度回動させることによって係合部材が調整溝と係脱可能にしたことを特徴とする。
【０００９】
請求項３に係る発明は、請求項１において、上記高さ調整機構が、上記側壁に間隔をおいて設けられた調整溝と、ネイルサポートの端部から上記調整溝に係合可能に突出した突部とから構成されたことを特徴とする。
【００１０】
請求項４に係る発明は、請求項３において、上記ネイルポストを移動させることにより、ネイルサポートの突部を上記側壁の調整溝と係脱可能にしたことを特徴とする。
【発明の効果】
【００１１】
請求項１に係る発明によれば、円筒状マガジンの底部中央にネイルポストを固定し、ネイルポストにネイルサポートを上下動可能に配置するとともに、ネイルポストとネイルサポートとの間に高さ調整機構を備えたので、ネイルポストの高さ位置が決まっているので、釘の軸長に応じてネイルサポートの高さを調整しても、蓋体を閉じても蓋部がネイルポストに当たることはない。したがって、横開きタイプのマガジンであっても、軸長が短い釘に対応することができる。
【００１２】
また、連結釘を収納装填した後にネイルポストと蓋体の蓋部との間の隙間は常に最低となるように保持することができる。したがって、ネイルポストのまわりに渦巻き状に巻かれた連結釘が釘打機の射出部（ノーズ部）に送り出されるときに、釘頭部が上記隙間に引っかかったり、釘軸同士が絡みあったりするのを有効に防止することができる。したがって送り不良が生じることがほとんどないから、釘打機の性能や安全性が向上する。
【００１３】
さらに、ネイルサポートはネイルポストとは独立に移動し、ネイルサポートの位置が高くなってもネイルポストの位置は変わらないから、調整溝の数を多くして切り替え高さを細かく調整することができる。
【００１４】
さらにまた、ネイルポストに間隔をおいて設けられた調整溝と、ネイルサポートに上記調整溝に係合可能に取り付けられた係合部材とによって構成されているので、係合部材を調整溝に係合させることによってネイルサポートの高さを調整することができる。
【００１５】
請求項２に係る発明によれば、ネイルサポートを所定の角度回動させることによって係合部材が調整溝と係脱可能にした構成であるから、ネイルサポートを回動させて係合を外し、移動させて回動させることによって調整できるから、格別の道具を必要とせず、簡単に調整作業を行うことができる。
【００１６】
請求項３に係る発明によれば、高さ調整機構が、側壁に間隔をおいて設けられた調整溝と、ネイルサポートの端部から上記調整溝に係合可能に突出した突部とから構成されているから、ネイルサポートの端部の突部を調整溝に係合させることによってネイルサポートの高さを調整することができる。
【００１７】
請求項４に係る発明によれば、ネイルポストを移動させることにより、ネイルサポートの突部を側壁の調整溝と係脱可能にしたから、ネイルポストを回動したり平行移動したりすることで突部と調整溝と係脱させることができ、格別の道具を必要とせず、簡単に調整作業を行うことができる。
【発明を実施するための最良の形態】
【００１８】
図１は釘打機に設けられたマガジンの斜視図、図２は蓋体を横に開いた上体の斜視図であり、図３はマガジンの分解斜視図である。
【００１９】
上図において、符号Ａはマガジンを示す。このマガジンＡは、円筒状の側壁１と底部２と蓋部３とを備えるとともに、側壁１を釘打機本体（図示せず）に固定するマガジン本体４側の側壁１ａと、マガジン本体４に開閉自在に設けられた蓋体５側の側壁１ｂの２つに分割されている。
【００２０】
マガジン本体４は円形の底部２と側壁１ａとを備えるとともに、底部２の中央には取付穴（非円形）７が形成されている。そして、この取付穴７にはネイルポスト６の基部が固定されている。また、側壁１ａの両側には釘打機本体に固定するための取付アーム８と取付部９が形成されている。
【００２１】
蓋体５には円形の蓋部３と他方の側壁１ｂとが一体に形成されている。
【００２２】
また、マガジン本体４の側壁１ａの一側端部にはヒンジ部１０が設けられ、このヒンジ部１０を介して蓋体５の側壁１が連結されている。これにより、蓋体５は上記ヒンジ部１０を中心に横方向、つまり底部２と平行に回動開閉可能に取付けられている。なお、マガジン本体４に対して蓋体５を閉じたとき、両側の側壁１間には連結釘（図示せず）が通るための間隙が形成される。
【００２３】
なお、連結釘は渦巻き状に巻き回された状態でマガジン内に収納され、その中心は上部底部２の取付穴７に固定されたネイルポスト６に挿入され、マガジン本体４に対して蓋体５を閉じたとき、両側の側壁１間には連結釘が引き出されたときに通る連結釘の送り通路が形成されている。
【００２４】
次に、ネイルポスト６には、中央に筒部を有する円形のネイルサポート１１が上下動可能に配置され、ネイルポスト６とネイルサポート１１との間に高さ調整機構が設けられている。
【００２５】
なお、マガジン本体４の側壁１ａに設けられたライン（溝又は凸部）１３はネイルサポート１１の高さ位置決めの目安になるラインである。
【００２６】
高さ調整機構は、図４及び図５に示されるように、ネイルポスト６に間隔をおいて設けられた調整溝１２と、ネイルサポート１１に上記調整溝１２に係合可能に取り付けられた係合部材１４とによって構成されている。すなわち、ネイルポスト６は円筒状に形成されているが、その外周面の両側には一定の間隔を置いて調整溝１２が切り込み形成されている。また、ネイルポスト６には円板状のネイルサポート１１が摺動自在に嵌合されている。１９は抜け止めである。
【００２７】
ネイルサポート１１の下面にはヘアピン型の金属バネ製サポートバー（係合部材）１４が配置されている。そして、ネイルサポート１１の下面には、サポートバー１４の先端の下面に係合する第１の保持部１５が形成されている。サポートバー１４の先端は上記第１の保持部１５に掛け回され、上記サポートバー１４は両脚部１６が閉じる方向に付勢されている。
【００２８】
また、ネイルサポート１１の下面には、上記保持部と反対側に、サポートバー１４の両脚部１６を保持する第２の保持部１８が形成されている。第２の保持部１８はコ字形の板状部で、サポートバー１４の両脚部１６を下から保持できるように形成されている。なお、サポートバー１４の両脚部１６の端部は互いに外向きに屈曲され、第２の保持部１８から外れないように形成されている。
【００２９】
ネイルサポート１１の中心の貫通穴にネイルポスト６を嵌合させたとき、サポートバー１４の弾性により両脚部１６は常時ネイルポスト６を挟み付けるように付勢されている。
【００３０】
上記構成の高さ調整機構によれば、サポートバー１４の脚部中央の係合部２０（図５参照）が調整溝１２に係合しているときは、ネイルサポート１１はその位置に保持される。ネイルサポート１１を上下に移動させるときは、図６に示されるように、ネイルサポート１１をほぼ直角に回動させる。このとき、サポートバー１４の両脚部１６間でネイルポスト６の径は大きくなるので、両脚部１６は強制的に押し広げられる。ネイルサポート１１をほぼ直角に回動させると、両脚部１６間はネイルポスト６の調整溝１２のない最大径部分に当接する。この位置では図７に示されるように、サポートバー１４は調整溝１２から脱するので、ネイルサポート１１を押し上げ又は押し下げると、ネイルサポート１１は上方又は下方に移動することができる。そこで、所望の調整溝１２がある位置まで移動させた後、再びネイルサポート１１をほぼ直角に回動させると、サポートバー１４の両脚部１６の係合部２０は上記調整溝１２に係合する。したがって、この位置ではネイルサポート１１は安定に保持され、上下いずれにも移動させることはできない。
【００３１】
このように、ネイルサポート１１を回動させるだけで、サポートバー１４を調整溝１２に対して係脱することができるから、長い連結釘を装填するときは、ネイルサポート１１を低い位置にセットし、短い連結釘を装填するときは、ネイルサポート１１を高い位置にセットすることができる。いずれの場合も、ネイルポスト６の位置は変わらないので、蓋体５を底部２と平行に閉じたとき、ネイルポスト６が蓋部３の閉じ作動の障害になることはない。
【００３２】
また、連結釘を収納装填した後にネイルポスト６と蓋体５の蓋部３との間の隙間は常に最低となるように保持することができる。したがって、ネイルポスト６のまわりに渦巻き状に巻かれた連結釘が釘打機の射出部（ノーズ部）に送り出されるときに、釘頭部が上記隙間に引っかかったり、釘軸同士が絡みあったりするのを有効に防止することができる。したがって送り不良が生じることがほとんどない。
【００３３】
しかも、ネイルポスト６の調整溝１２がサポートバー１４と係合する面積は大きいので、釘打機が落下する等の事故による衝撃を受けても、ネイルサポート１１を安定に保持することができる。
【００３４】
さらに、サポートバー１４はヘアピン型の金属（鉄）バネ製だから、頑丈であり塑性変形しにくく、ヘタリが生じることがない。
【００３５】
なお、高さ調整機構は、図８〜図１０のように構成してもよい。すなわち、マガジン本体の円筒状のネイルポスト６の外周には複数の調整溝１２を形成するとともに、上端から下端までの全長にわたってガイド溝２２を形成し、ガイド溝２２と各調整溝１２の溝底は連続的に形成されている。
【００３６】
ネイルサポート１１の中央にはネイルポスト６の調整溝１２を除いた部分の断面と略同じ鼓形の貫通孔２３が形成され、両側には上記ガイド溝２２に対応する突片２４が形成されている。ネイルサポート１１の下面には、貫通孔２３の周囲に環状縁２６が形成され、その一側には係合ピン２７が取付けられ、さらにその近傍にはバネ受け片２８が形成されている。上記環状縁２６の内側には合成樹脂製のサポート板３０が嵌合配置されている。サポート板３０の中央には、図９のように、ネイルサポート１１の貫通孔２３と同じ大きさ、同じ形状の貫通孔３１が形成され、上記突片２４に対応する突片２５が形成されている。サポート板３０の外縁には円弧状係合縁３３と「く」字形の係合縁３４が連続的に形成されている。円弧状係合縁３３の一端近傍にはバネ受け部３２が形成されている。ネイルサポート１１とサポート板３０間にはねじりバネ３５が巻きまわされ、その一端は上記ネイルサポート１１のバネ受け片２８に、他端はサポート板３０のバネ受け部３２に係合している。
【００３７】
初期状態は、図１０（ｂ）に示されるように、ネイルサポート１１の突片２４はネイルポスト６の調整溝１２に係合し、サポート板３０の突片２５はネイルポスト６のガイド溝２２に係合している。この状態からネイルサポート１１を図１０（ａ）のように回動させると、ネイルサポート１１の突片２４がネイルポスト６のガイド溝２２に入り込み、サポート板３０の突片２５もネイルポスト６のガイド溝２２に入り込んだ状態のままであり、ネイルサポート１１はネイルポスト６に対して上下動可能となる。ネイルサポート１１を回動させた状態でネイルサポート１１をネイルポスト６の調整溝１２に対応する位置に移動し、手を放すと、ねじりバネ３５の弾発力によって、初期状態に戻る。
【００３８】
したがって、上記構成によれば、軸長が短い釘に対応するためにネイルサポート１１の位置を高くしてもマガジンの蓋体５を常に円滑に開閉することができる。
【００３９】
次に、図１１及び図１２は別の高さ調整機構を示すもので、ネイルサポート１１の下面に沿ってサポートバー１４を回動可能に設け、サポートバー１４をバネ３６によって常時中心側に移動するように付勢している。
【００４０】
上記構成によれば、蓋体５を回動させることによってマガジンを開放させた後、サポートバー１４を回動させて調整溝１２に対して係脱させることができる。
【００４１】
次に、高さ調整機構は、ネイルポスト６に調整溝１２を設ける形態に限定されない。図１３（ａ）（ｂ）のようにしてもよい。すなわち、同図において、マガジン本体４側の側壁１ａには複数の調整溝３７が間隔をおいて設けられている。これに対し、ネイルサポート１１の端部には、上記調整溝３７に対応する位置に突部（係合部）３８が形成されている。そして、ネイルサポート１１を摺動自在に支持するネイルポスト６は、マガジン本体４に対して移動可能に設けられている。これにより、ネイルポスト６を移動させることにより、ネイルサポート１１の突部３８を調整溝３７に対して係脱させて係合位置を調整することができる。
【００４２】
なお、上記調整溝３７は側壁１ａに貫通された孔として形成されているが、溝も孔も同じであるから、特に区別しない。また、上記形態と次に示す形態においてもマガジンは横方向、つまり底部２と平行に開くタイプである。
【００４３】
ネイルポスト６を移動させる構成としては、ネイルポスト６の下端に直角に張り出し縁３９を形成し、ネイルポスト６の上部とマガジン本体４の底部２との間に設けたバネ４０により、通常はネイルポスト６を底部２に垂直に保持し、ネイルサポート１１の位置調整時には、ネイルポスト６を傾けてネイルサポート１１の突部３８を側壁１の調整溝３７から外し、ネイルサポート１１を上下に移動させて別の調整溝３７に係合させることができるようにしてもよい。
【００４４】
なお、ネイルサポート１１の突部３８の反対側は蓋体５の側壁１ｂによって支持されるので、ネイルポスト６に安定に保持される。
【００４５】
また、図１４（ａ）（ｂ）のように、ネイルポスト６の内部に嵌合可能な大きさの板体４１の中心から下方に杆状部材４２を結合し、板体４１とネイルポスト６の底部２との間に圧縮バネ４３を配置するとともに、杆状部材４２をマガジン本体４の底部２に形成した長孔４４に貫通させ、その下端に鉤状部材４５を回動可能に設け、鉤状部材４５の回動させることにより上記板体４１の高さを変えることができるように構成してもよい。この場合、板体４１の高さを高くしてバネ力を弱めることにより杆状部材４２を上記長孔４４に沿って移動させてネイルポスト６の位置を変えることができる。ネイルサポート１１の突部３８と調整溝３７とが係合したときは、鉤状部材４５を回動させて板体４１を低くして圧縮バネ４３のバネ力を強めてネイルサポート１１を底部２に垂直に保持させればよい。なお、５０は安定板である。
【００４６】
さらに、図１５（ａ）（ｂ）のように、ネイルポスト６の下部とマガジン本体４の底部２との間を圧縮バネ４６とリンク３２を介して連結し、ネイルポスト６が底部２に沿って移動できるように構成してもよい。
【００４７】
なお、上述のほかにも、例えば、マガジンの側壁１に図１６のような調整溝４７とガイド溝４８を形成し、ネイルサポート１１の端部には上記溝に係合可能な突部４９を形成する構成であってもよい。これによれば、ネイルサポート１１を回動させ、また上下に移動させることにより、上記突部を調整溝４７とガイド溝４８に対して係脱させることができる。
【００４８】
上記構成によれば、円筒状マガジンの底部２中央にネイルポスト６を固定し、ネイルポスト６にネイルサポート１１を上下動可能に配置するとともに、ネイルポスト６とネイルサポート１１との間に高さ調整機構を備えたので、ネイルポスト６の高さ位置が決まっているので、釘の軸長に応じてネイルサポート１１の高さを調整しても、蓋体５を横方向に閉じても蓋部３がネイルポスト６に当たることはない。したがって、横開きタイプのマガジンであっても、軸長が短い釘に対応することができる。
【００４９】
また、連結釘を収納装填した後にネイルポスト６と蓋体５の蓋部３との間の隙間は常に最低となるように保持することができる。したがって、ネイルポスト６のまわりに渦巻き状に巻かれた連結釘が釘打機の射出部（ノーズ部）に送り出されるときに、釘頭部が上記隙間に引っかかったり、釘軸同士が絡みあったりするのを有効に防止することができる。したがって送り不良が生じることがほとんどないから、釘打機の性能や安全性が向上する。
【００５０】
さらに、ネイルサポート１１はネイルポスト６とは独立に移動し、ネイルサポート１１の位置が高くなってもネイルポスト６の位置は変わらないから、軸長が短い釘に対応するためにネイルサポート１１の位置を高い位置に設定することができ、このため調整溝３７の数を多くして切り替え高さを細かく調整することができる。
【００５１】
上記いずれの形態の高さ調整機構によっても、ネイルサポート１１の位置調整に関係なくネイルポスト６の高さは変わらないから、軸長が短い釘に対応するためにネイルサポート１１の位置を高くしてもマガジンの蓋体５を常に円滑に開閉することができる。
【図面の簡単な説明】
【００５２】
【図１】本発明に係るマガジンの斜視図
【図２】上記マガジンを底部に平行に開いた状態の斜視図
【図３】上記マガジンの分解斜視図
【図４】ネイルポストとネイルサポートの上からの斜視図
【図５】ネイルポストとネイルサポートの下からの斜視図
【図６】ネイルサポートの底面図
【図７】ネイルポストとネイルサポートの縦断面図
【図８】他の高さ調整機構の蓋体を開いた状態の斜視図
【図９】上記高さ調整機構の分解斜視図
【図１０】（ａ）（ｂ）は下からみた高さ調整機構の作動説明図
【図１１】さらに他の高さ調整機構を有するマガジンの縦断面図
【図１２】図１１の横断面図
【図１３】（ａ）（ｂ）は別の形態の高さ調整機構の使用態様の縦断面図
【図１４】（ａ）（ｂ）は他の形態の高さ調整機構の使用態様の縦断面図
【図１５】（ａ）（ｂ）はさらに別の形態の高さ調整機構の使用態様の縦断面図
【図１６】さらに他の高さ調整機構を示す分解斜視図
【符号の説明】
【００５３】
１ａ、１ｂ  側壁
２    底部
３    蓋部
４    マガジン本体
５    蓋体
６    ネイルポスト
１１  ネイルサポート
１４  係合部材（サポートバー）
【図１】
2010029944.tif 000003
【図２】
2010029944.tif 000004
【図３】
2010029944.tif 000005
【図４】
2010029944.tif 000006
【図５】
2010029944.tif 000007
【図６】
2010029944.tif 000008
【図７】
2010029944.tif 000009
【図８】
2010029944.tif 000010
【図９】
2010029944.tif 000011
【図１０】
2010029944.tif 000012
【図１１】
2010029944.tif 000013
【図１２】
2010029944.tif 000014
【図１３】
2010029944.tif 000015
【図１４】
2010029944.tif 000016
【図１５】
2010029944.tif 000017
【図１６】
2010029944.tif 000018